(57)【特許請求の範囲】
【請求項１】
インテリジェント型壁面スイッチモジュールであって、
壁面上に設置された切換部材と、
前記切換部材内に設置され、且つ前記切換部材と電気的に接続された制御ユニットと、
前記制御ユニットにそれぞれ接続された複数の電器と、
前記切換部材上に設置され、且つ前記制御ユニットと電気的に接続され、前記制御ユニットが複数の前記電器または電器の設置空間を識別するために供する識別画像を表示するディスプレイと、
前記ディスプレイ表面に設置され、且つ前記制御ユニットと電気的に接続されたタッチパネルと、
を含み、人が手で前記タッチパネルに触れて手を滑らせ、前記制御ユニットにより前記ディスプレイに表示される前記識別画像をいずれかに切り換えてから、機械式の前記切換部材を切り換えて前記制御ユニットにより前記ディスプレイに表示されたいずれかの前記識別画像の電器をオンまたはオフにし、単一の前記切換部材でタッチ制御による選択と機械方式による前記電器のオン・オフを可能とし、
前記切換部材が、壁面内に設置された座体と、前記座体上に設置され、壁面に露出されたハウジングと、前記座体上に設置され、かつ前記ハウジングから露出されたスイッチボタンと、前記ハウジング内に設置され、かつ前記スイッチボタンに駆動される電源オン・オフユニットを備え、前記制御ユニットが前記電源オン・オフユニットと電気的に接続され、前記スイッチボタン上に前記ディスプレイを嵌め込むための開口部が形成され、前記識別画像が前記スイッチボタン上に配置されるようにして、前記切換部材がオン・オフを制御できる電器を迅速に識別可能としたことを特徴とする、インテリジェント型壁面スイッチモジュール。
【請求項２】
前記ハウジングの四周内側に複数の発光素子が設置され、ハウジング上に少なくとも１つの前記発光素子をオン・オフ制御できるボタンが設けられ、前記発光素子の発光を制御して前記切換部材の位置を提示することができ、かつ前記ボタン内に発光素子が設けられ、前記ボタンの位置を提示できることを特徴とする、請求項１に記載のインテリジェント型壁面スイッチモジュール。
【請求項３】
前記電器の設置空間が、前記切換部材の設置空間と同じ、または異なり、単一の前記切換部材で同じまたは異なる設置空間内にある電器のオン・オフを制御できることを特徴とする、請求項１に記載のインテリジェント型壁面スイッチモジュール。
【請求項４】
前記電器が、家電、警報器または防犯装置であることを特徴とする、請求項１に記載のインテリジェント型壁面スイッチモジュール。
【請求項５】
前記切換部材内に設置され、かつ前記制御ユニットと電気的に接続されたメモリユニットを含み、前記メモリユニット内に静態の前記識別画像が保存され、かつ前記制御ユニットにより前記識別画像が前記ディスプレイでの表示に提供されることを特徴とする、請求項１に記載のインテリジェント型壁面スイッチモジュール。
【請求項６】
さらに少なくとも１つの前記制御ユニットと電気的に接続されたカメラを含み、前記カメラが前記電器の設置空間に設置され、ライブの前記識別画像を撮影し、かつ前記制御ユニットにより前記識別画像が前記ディスプレイでの表示に提供されることを特徴とする、請求項１に記載のインテリジェント型壁面スイッチモジュール。
【請求項７】
さらに前記制御ユニットと電気的に接続されたセンサーを含み、前記センサーの設置空間が前記電器の設置空間と同じまたは異なる空間であり、前記センサーがトリガ信号を検知すると、前記制御ユニットが前記ディスプレイに前記識別画像を表示させることを特徴とする、請求項１に記載のインテリジェント型壁面スイッチモジュール。
【請求項８】
前記センサーが赤外線センサーまたはドアベルスイッチであることを特徴とする、請求項７に記載のインテリジェント型壁面スイッチモジュール。
【請求項９】
前記制御ユニットに温度検知器または湿度検知器が電気的に接続され、かつ前記制御ユニットが前記ディスプレイを介して現在の時間、前記温度検知器が検知した温度、または前記湿度検知器が検知した湿度等を表示し、人が手で前記タッチパネルに触れて手を滑らせることで前記識別画像、時間、温度または湿度を切り換えることを特徴とする、請求項１に記載のインテリジェント型壁面スイッチモジュール。
【発明の詳細な説明】
【技術分野】
【０００１】
本発明はインテリジェント型壁面スイッチモジュールに関し、特に、単一の機械式切換部材を利用してタッチ制御で選択を行い、かつ機械方式で複数の電器のスイッチモジュールのオン・オフを切り換えることができ、特に前記スイッチモジュールの制御ユニット、ディスプレイ及びタッチパネルが特徴的な、インテリジェント型壁面スイッチモジュールに関する。
【背景技術】
【０００２】
一般的な壁面スイッチは室内、室外の壁面上に嵌め込まれており、室内、室外の電灯の配電における使用に供するために用いられ、且つ壁面スイッチには一般にいくつかのコンセント単体とボタン単体が設置されており、前記ボタン単体は機械式の作動を採用し、電灯のオン・オフ切り換えに用いることができ、前記コンセント単体は外部の扇風機やテレビ、ラジオ、コンピュータ等家電のプラグを差し込み、電力をコンセント単体からプラグに送り、前述の家電に伝送することができる。
【０００３】
従来の壁面スイッチは通常電源線で単一組の電灯等の電器に電気的に接続されており、各スイッチでそれぞれ対応する単一組の電器をオンまたはオフにすることができる。このほか、従来の壁面スイッチは通常その制御する電器と同一の設置空間の壁面上に設置され、使用者が壁面スイッチを切り換えるとすぐに電器のオン・オフ状態を知ることができる。
【０００４】
しかしながら、前述の従来の壁面スイッチの配置方式は、使用者が単一のスイッチで複数組の同じまたは異なる設置空間内に位置する電器を制御することはできないため、使用時に同じまたは異なる設置空間内に移動して逐一その電器のオン・オフを制御する必要があり、使用上かなり不便である。
【０００５】
現在、タッチパネル（Ｔｏｕｃｈ  ｐａｎｅｌ）がすでに日常生活の各種電器において広く応用されており、電器の電源制御インターフェイスとして用いられ、使用時は人が手で触れて滑らせたり、押したりする方式を利用してタッチパネルを操作し、タッチパネルを採用して電器の機能の選択、確定、実行を行うという目的を達することができる。
【０００６】
しかしながら、前述の電器に応用される電源制御のタッチパネルは、複数回押圧されると容易に検知不良の状況が生じ、さらには破損することさえある。このため、タッチパネルを利用して壁面スイッチとし、複数の電器を選択してオン・オフするには、まだたくさんの改善が必要な技術的問題があり、この分野の技術者が解決を望む困難の所在である。
【発明の概要】
【発明が解決しようとする課題】
【０００７】
本発明の主な目的は、上述の先行技術において、従来の壁面スイッチが単一のスイッチで複数組の同じまたは異なる設置空間内に位置する電器を制御することができず、使用上不便であるという問題を克服し、かつタッチパネルを壁面スイッチに採用して使用するとき、タッチパネルが不適切な押圧を受けて検知不良や破損を生じる問題を克服し、スイッチの耐久性を高め、使用寿命を延長する、インテリジェント型壁面スイッチモジュールを提供することにある。
【課題を解決するための手段】
【０００８】
上述の目的を達するため、本願の第１発明のインテリジェント型壁面スイッチモジュールは、
壁面上に設置された切換部材と、
前記切換部材内に設置され、且つ前記切換部材と電気的に接続された制御ユニットと、
前記制御ユニットにそれぞれ接続された複数の電器と、
前記切換部材上に設置され、且つ前記制御ユニットと電気的に接続され、前記制御ユニットが複数の前記電器または電器の設置空間を識別するために供する識別画像を表示するディスプレイと、
前記ディスプレイ表面に設置され、且つ前記制御ユニットと電気的に接続されたタッチパネルと、
を含み、人が手で前記タッチパネルに触れて手を滑らせ、前記制御ユニットにより前記ディスプレイに表示される前記識別画像をいずれかに切り換えてから、機械式の前記切換部材を切り換えて前記制御ユニットにより前記ディスプレイに表示されたいずれかの前記識別画像の電器をオンまたはオフにし、単一の前記切換部材でタッチ制御による選択と機械方式による前記電器のオン・オフを可能としたことを特徴とする、インテリジェント型壁面スイッチモジュールを提供する。
【０００９】
上述により、ディスプレイを利用して複数の識別画像中のいずれかの識別画像を表示し、使用者に前記切換部材が現在制御可能な電器を識別させると共に、人が手で前記タッチパネルに触れて軸方向に沿って滑らせることで、前記ディスプレイに表示する前記識別画像を逐一切り換えることができ、前記ディスプレイの表示が制御したい電器の識別画像に切り換わったとき、前記切換部材を切り換えて前記識別画像の電器の電源をオンまたはオフにすることができる。
【００１０】
これにより、単一の切換部材を採用してタッチ制御方式で電器の識別画像を選択し、機械方式でその識別画像の電器のオン・オフを切り換えるようにすることで、使用上の利便性と耐久性を高め、使用寿命を延長することができる。
【００１１】
このほか、本発明はさらに、次を含む。
本願の第２発明は、上述の主要な構造の特徴に基づき、前記切換部材が壁面内に設置された座体と、前記座体上に設置され、壁面に露出されたハウジングと、前記座体上に設置され、かつ前記ハウジングから露出されたスイッチボタンと、前記ハウジング内に設置され、かつ前記スイッチボタンに駆動される電源オン・オフユニットを備え、前記ハウジングは従来の壁面に設置される切換部材の外殼とすることができ、前記制御ユニットは前記電源オン・オフユニットに電気的に接続され、前記スイッチボタン上に前記ディスプレイを嵌め込むための開口部が形成され、前記識別画像が前記スイッチボタン上に配置されるようにして、前記切換部材がオン・オフを制御できる電器を迅速に識別可能としたことを特徴とする、前記第１発明のインテリジェント型壁面スイッチモジュールを提供する。
本願の第３発明は、上述の主要な構造の特徴に基づき、前記ハウジングの四周内側に複数の発光素子が設置され、かつハウジング上に少なくとも１つの前記発光素子のオン・オフを制御できるボタンが設けられ、前記発光素子の発光を制御し、前記切換部材の位置を提示でき、かつボタン内に発光素子が設置され、前記ボタンの位置を提示でき、前記発光素子が周囲環境を照らす機能を備えていることを特徴とする、前記第２発明のインテリジェント型壁面スイッチモジュールを提供する。
本願の第４発明は、上述の主要な構造の特徴に基づき、前記電器の設置空間が、前記切換部材の設置空間と同じまたは異なる空間とすることができ、前記単一の切換部材で同じまたは異なる設置空間内にある電器のオン・オフを制御することができることを特徴とする、前記第１発明のインテリジェント型壁面スイッチモジュールを提供する。
本願の第５発明は、上述の主要な構造の特徴に基づき、前記電器が家電、警報器、防犯装置とすることができることを特徴とする、前記第１発明のインテリジェント型壁面スイッチモジュールを提供する。
本願の第６発明は、上述の主要な構造の特徴に基づき、さらに前記切換部材内に設置され、かつ前記制御ユニットと電気的に接続されたメモリユニットを含み、前記メモリユニット内に静態の前記識別画像が保存され、かつ前記制御ユニットにより前記識別画像が前記ディスプレイでの表示に提供されることを特徴とする、前記第１発明のインテリジェント型壁面スイッチモジュールを提供する。
本願の第７発明は、上述の主要な構造の特徴に基づき、さらに少なくとも１つの前記制御ユニットと電気的に接続されたカメラを含み、前記カメラが前記電器の設置空間に設置され、ライブの前記識別画像を撮影し、かつ前記制御ユニットにより前記識別画像が前記ディスプレイでの表示に提供されることを特徴とする、前記第１発明のインテリジェント型壁面スイッチモジュールを提供する。
本願の第８発明は、上述の主要な構造の特徴に基づき、前記制御ユニットと電気的に接続されたセンサーを含み、前記センサーの設置空間が前記電器の設置空間と同じまたは異なる空間であり、前記センサーがトリガ信号を検知すると、前記制御ユニットが前記ディスプレイに前記識別画像を表示させることを特徴とする、前記第１発明のインテリジェント型壁面スイッチモジュールを提供する。
本願の第９発明は、前記センサーが赤外線センサーまたはドアベルスイッチとすることができることを特徴とする、前記第８発明のインテリジェント型壁面スイッチモジュールを提供する。
本願の第１０発明は、上述の主要な構造の特徴に基づき、前記制御ユニットが温度検知器または湿度検知器と電気的に接続することができ、かつ制御ユニットは前記ディスプレイを介して現在の時間、前記温度検知器が検知した温度、または前記湿度検知器が検知した湿度等を表示することができ、人が手で前記タッチパネルに触れて手を滑らせ、前記識別画像、時間、温度、湿度を切り換えることを特徴とする、前記第１発明のインテリジェント型壁面スイッチモジュールを提供する。
【発明の効果】
【００１２】
先行技術と比較して、本発明には次のような利点がある。
１.単一の切換部材でディスプレイに表示される複数の識別画像が表す電器を制御する方式を採用しており、多重電源制御の機能を備えている。
２.ディスプレイで表示される電器の識別画像を選択し、切換部材を利用して機械方式で前記電器のオン・オフを制御することで、従来のタッチパネルが不適切な押圧を受けて検知不良や破損を生じる問題を克服し、スイッチモジュールの耐久性を高め、使用寿命を延長することができる。
３.切換部材のハウジングは従来の壁面スイッチの外殼とすることができるため、スイッチモジュールで現有の従来型壁面スイッチを直接代替することができ、従来型の壁面スイッチを直接インテリジェント型壁面スイッチにアップグレードすることができる。
４.切換部材を切り換えた後、ディスプレイを介して即時に電器がオンまたはオフになったかを観察でき、異なる設置空間にある複数の電器の動作状況を有利に把握することができる。
５.発光素子を用いてスイッチモジュールとボタンの位置を提示すると共に、ナイトライトとして使用することができる。
６.前記スイッチモジュールのディスプレイに現在の時間、温度、湿度を表示でき、使用者が便利に確認することができる。
７.人の手でタッチパネルに触れて滑らせる方式で識別画像、時間、温度、湿度を切り換えるため、操作が便利で人間工学に即している。
【図面の簡単な説明】
【００１３】
【図１】本発明の最良の実施例の立体図である。
【図２】図１の立体分解図である。
【図３】図１の実施例の配置を示すブロック図である。
【図４】図１の正面図である。
【図５】図４のＡ−Ａ線での断面図である。
【図６】図５の使用状態を示す断面図である。
【図７】図４のディスプレイの使用状態を示す正面図である。
【図８】図７の次の使用状態を示す正面図である。
【図９】図４のディスプレイの別の使用状態を示す正面図である。
【図１０】図９の次の使用状態を示す正面図である。
【図１１】図４のディスプレイのさらに別の使用状態を示す正面図である。
【図１２】図１１の次の使用状態を示す正面図である。
【図１３】図４のディスプレイのさらに別の使用状態を示す正面図である。
【図１４】図１３の次の使用状態を示す正面図である。
【図１５】図１４の次の使用状態を示す正面図である。
【図１６】図１５の次の使用状態を示す正面図である。
【発明を実施するための形態】
【００１４】
以下に図面を参照しながら本発明の最良の実施例を示す。
【実施例１】
【００１５】
図１に本発明の最良の実施例の立体図を示す。合わせて図２から図５を参照する。本発明のインテリジェント型壁面スイッチモジュールは、切換部材１、制御ユニット２、複数の電器９、９ａ、ディスプレイ３、タッチパネル４を含む。
【００１６】
そのうち、前記切換部材１は室内または室外の壁面上に設置され、かつ切換部材１は、壁面の従来のスイッチボックス内に設置する座体１１と、座体１１上に設置され、壁面に露出されるハウジング１２と、一樞置於座体１１上に設置され、ハウジング１２表面に露出されるスイッチボタン１３と、ハウジング１２内に設置され、スイッチボタン１３に駆動される電源オン・オフユニット１４を備え、前記ハウジング１２は従来の壁面スイッチの外殼とすることができる。
【００１７】
前記座体１１上には前後両側に開放された収容槽１１１が形成され、前記電源オン・オフユニット１４が収容槽１１１内に配置され、前記ハウジング１２上に複数の収容槽１１１に連通した開口１２１、１２２、１２３が形成され、且つスイッチボタン１３上に収容槽１１１に連通した開口部１３１が形成される。さらに、前記スイッチボタン１３の上部に前記座体１１の方向に向かって延伸された複数のツメ１３２が形成され、収容槽１１１の上部に前記ツメ１３２が可動的に嵌挿される溝部１１２が形成される。
【００１８】
前記制御ユニット２は切換部材１内に設置されるが、前記制御ユニット２は実際には電源オン・オフ制御用の回路板２０上に設置でき、かつ回路板２０が座体１１の一側に設置され、座体１１が前記ハウジング１２と回路板２０の間に位置し、かつ制御ユニット２が収容槽１１１内に配置される。前記制御ユニット２は回路板２０を介して切換部材１の電源オン・オフユニット１４に電気的に接続される。
【００１９】
前記電器９、９ａは切換部材１から離れた室内または室外に設置することができ、かつ前記電器９、９ａは前記回路板２０と制御ユニット２にそれぞれ電気的に接続され、前記電器９、９ａは電灯、扇風機、テレビ、ラジオ、コンピュータ等の家電とすることができる。また電器９、９ａは警報器のアラームまたは防犯装置の電子ロックとしてもよい。このほか、前記電器９、９ａの設置空間は切換部材１の設置空間と同じまたは異なる空間とすることができる。
【００２０】
前記電器９、９ａの設置空間とは、前記電器９、９ａを取り付けるまたは設置するために用いる室内と室外空間を指し、かつ切換部材１の設置空間とは、切換部材１を取り付けるために用いる室内と室外空間を指し、前記室内と室外空間は玄関、台所、居間、寝室、浴室、庭、ベランダ等の空間を含むことができる。
【００２１】
前記ディスプレイ３は液晶ディスプレイ（ＬＣＤ）とすることができ、かつディスプレイ３は切換部材１のスイッチボタン１３の開口部１３１内に組み込まれ、スイッチボタン１３表面に露出され、かつディスプレイ３は前記回路板２０と制御ユニット２に電気的に接続される。前記制御ユニット２はディスプレイ３により前記電器９、９ａまたは電器９、９ａの設置空間を識別するために供する複数の識別画像９１、９１ａ、９１ｂ（図７、図９、図１１参照）を表示することができる。
【００２２】
前記識別画像９１、９１ａ、９１ｂは使用者が前記電器９、９ａまたは電器９、９ａの設置空間を識別するのに有利な文字、平面図形、立体図形、静態立体画像、事前録画した動態立体映像またはライブ撮影された動態立体映像とすることができる。つまり、前記識別画像９１、９１ａ、９１ｂは前記電器９、９ａまたは電器９、９ａの設置空間を表す。
【００２３】
前記タッチパネル４はディスプレイ３の表面に設置され、かつタッチパネル４は前記回路板２０と制御ユニット２に電気的に接続される。人が手で前記タッチパネル４の表面に触れて手を軸方向に沿って滑らせると、制御ユニット２によりディスプレイ３に表示される前記識別画像９１、９２が切り換えられる（図７及び図８参照）。
【００２４】
つまり、前記切換部材１はディスプレイ３がそのとき表示している識別画像９１、９２が表す電器９、９ａを制御することができ、機械式の前記切換部材１を切り換えると（図６参照）、制御ユニット２を介してディスプレイ３が表示する識別画像９１、９２のいずれかが表す電器９、９ａをオン・オフ制御することができ、単一の前記切換部材１でタッチ制御による選択と機械方式による前記電器９、９ａのオン・オフ制御を行うことができる。
【００２５】
前記切換部材１内には少なくとも１つのスイッチボタン単体１５、１５ａが設置され、前記スイッチボタン単体１５、１５ａは従来室内または室外の電灯をオンまたはオフにするために用いる電源スイッチボタンとすることができ、前記スイッチボタン単体１５、１５ａは収容槽１１１内に設置され、かつ開口１２２、１２３にそれぞれ組み込まれてハウジング１２表面に露出される。また前記座体１１とハウジング１２の間に固定フレーム１６が介在され、ハウジング１２の位置決め強度を増すことができる。
【００２６】
前記制御ユニット２と回路板２０には温度検知器５または湿度検知器５ａ（図３及び図４参照）を電気的に接続することができ、かつ制御ユニット２はディスプレイ３により現在の時間、前記温度検知器５が検知した温度、または前記湿度検知器５ａが検知した湿度等のリアルタイム情報を表示することができる（図１３参照）。人が手で前記タッチパネル４に触れて手を軸方向に沿って滑らせると、前記制御ユニット２を制御して前記識別画像９１、９２、時間、温度、または湿度を切り換えることができる。
【００２７】
前記ハウジング１２の四周内側には複数の発光素子１７が設置され、かつハウジング１２の下端に少なくとも１つの前記発光素子１７のオン・オフを制御できるボタン１８が設けられ、前記ボタン１８は前記発光素子１７の発光を制御して切換部材１の位置を提示することができ、かつボタン１８内にも発光素子１７ａが設置され、前記ボタン１８の位置を提示することができる。前記発光素子１７は周辺環境を照らす機能を備えている。
【００２８】
前記発光素子１７、１７ａは発光ダイオードとすることができ、かつ前記発光素子１７、１７ａとボタン１８は制御ユニット２に電気的に接続され、使用時はボタン１８により前記制御ユニット２を制御して前記発光素子１７を発光させることができる。
【００２９】
前記ボタン１８は本実施例において４個とすることができ、前記発光素子１７のオン・オフ制御、前記発光素子１７の発光輝度を徐々に明るく調整する、前記発光素子１７の発光輝度を徐々に暗く調整する、前記発光素子１７の発光輝度を自動調整するためにそれぞれ用いられる。そのうち、前記ハウジング１２上には制御ユニット２に電気的に接続された光センサー１９が設けられ、前記制御ユニット２は光センサー１９が検知する環境の明るさに基づいて発光素子１７の発光輝度を自動調整することができる。
【００３０】
上述の構造組成により、ディスプレイ３を利用して複数の識別画像９１、９２中のいずれかの識別画像９１、９２を表示し、識別画像９１、９２をスイッチボタン１３表面に露出させ、前記切換部材１が現在制御できる電器９、９ａを使用者が迅速に識別することを可能にしている。図７及び図８に示すように、識別画像９１、９２は第一信号ソース、第二信号ソース等の文字で表示され、前記識別画像９１は電器９を表し、識別画像９２は電器９ａを表すことができる。
【００３１】
使用時は、手の指でタッチパネル４表面に触れて下から上へ、または上から下へ逐一滑らせると、ディスプレイ３を制御して識別画像９１または識別画像９２を表示させるよう選択することができ、ディスプレイ３を切り換えて制御したい電器９の識別画像９１を表示させたら、切換部材１のスイッチボタン１３を押すと、スイッチボタン１３が電源オン・オフユニット１４の弾性突起１４１を駆動して、電源オン・オフユニット１４により前記制御ユニット２に前記識別画像９１が表す電器９の電源をオンまたはオフにさせることができる。
【００３２】
また使用時は、再度手の指でタッチパネル４表面に触れて下から上へ、または上から下へ逐一滑らせ、ディスプレイ３を切り換えて電器９ａの識別画像９２を表示させたら、再度切換部材１を押して制御ユニット２により前記識別画像９２が表す電器９ａの電源をオン・オフ制御することができる。
【００３３】
使用時は、手の指でタッチパネル４表面に触れて左から右へ、または右から左へ逐一滑らせ、ディスプレイ３に現在の時間、温度または湿度を切り換えて表示させることができ（図１３参照）、その後さらに手の指でタッチパネル４表面に触れて下から上へ、または上から下へ逐一滑らせ、ディスプレイ３に現在の時間、温度または湿度を切り換えて表示させることができる（図１４から図１６参照）。
【００３４】
これに基づき、単一の前記切換部材１を採用してタッチ制御方式で前記電器９、９ａの識別画像９１、９２を選択し、機械方式で前記識別画像９１、９２の電器９、９ａのオン・オフを制御することで、上述の先行技術において、従来の壁面スイッチが単一のスイッチで複数組の同じまたは異なる設置空間内にある電器を制御することができず、使用上不便であるという問題を克服することができ、かつタッチパネルを採用して壁面スイッチとして使用したとき、タッチパネルが不適切な押圧を受けて検知不良や破損を生じやすいという問題を克服でき、使用上の利便性と耐久性を高め、使用寿命を延長することができる。
【実施例２】
【００３５】
別の具体的な実施例において、本発明はさらに切換部材１の収容槽１１１内に設置され、かつ制御ユニット２と電気的に接続されたメモリユニット６を含み（図２、図３、図５参照）、前記メモリユニット６内には静態の前記識別画像９１ａ 、９２ａが保存され（図９、図１０参照）、前記識別画像９１ａ、９２ａは文字と静態立体画像（写真ともいう）で併せて表示され、前記識別画像９１ａの電灯は電器９を表し、かつ識別画像９２ａのコンピュータは電器９ａを表すことができ、制御ユニット２により前記識別画像９１ａ、９２ａが提供され、ディスプレイ３での表示に供される。その他の構成部材の組成と実施方式は上述の実施例と同じである。
【実施例３】
【００３６】
さらに別の具体的な実施例において、本発明はさらに制御ユニット２に電気的に接続された少なくとも１つのカメラ７を含み（図３参照）、前記カメラ７は電器９、９ａの設置空間に設置され、ライブの識別画像９１ｂ、９２ｂを撮影し（図１１、図１２参照）、前記識別画像９１ｂ、９２ｂは文字とカメラ７がライブ撮影する動態立体映像が併せて表示され、前記識別画像９１ｂの玄関は電器９の設置空間を表し、識別画像９２ｂの台所は電器９ａの設置空間を表すことができ、制御ユニット２により前記識別画像９１ｂ、９２ｂが提供され、ディスプレイ３での表示に供される。その他の構成部材の組成と実施方式は上述の実施例と同じである。
【００３７】
前記カメラ７がライブ撮影した動態立体映像は、制御ユニット２によりメモリユニット６に保存することができ、かつ制御ユニット２はネットワーク経由で外部コンピュータに接続され、これにより、コンピュータ経由でカメラ７によりライブ撮影された動態立体映像を監視することができる。
【実施例４】
【００３８】
さらに別の具体的な実施例において、本発明はさらに制御ユニット２に電気的に接続されたセンサー８を含む（図３参照）。
【００３９】
そのうち、前記センサー８はドアベルスイッチとすることができ、前記ドアベルスイッチは前記識別画像９１ｂの玄関のドア外側（図１１参照）に設置でき、かつ電器９は玄関内のドアの防犯装置の電子ロックとすることができ、センサー８の設置空間と電器９の設置空間が異なるものとすることができる。これにより、ドア外側の訪問客がドアベルスイッチを押すと、前記センサー８がトリガ信号を発し、かつ制御ユニット２はセンサー８が前記トリガ信号を発すると、強制的にディスプレイ３を切り換えて前記識別画像９１ｂを表示させ、使用者は即時に訪問客がいることを知ることができ、かつ切換部材１を切り換えて防犯装置の電子ロックをオフにすることができる。
【００４０】
或いは、前記センサー８ａは赤外線センサーとすることができ、前記赤外線センサーは前記識別画像９１ｂの玄関のドア内側に設置でき、かつ電器９は玄関内の警報器のアラームとし、センサー８ａの設置空間と於電器９の設置空間を同じとすることができる。これにより、誰かがドアから玄関に侵入すると、前記センサー８ａが侵入者の身体を検出してトリガ信号を発し、かつ制御ユニット２はセンサー８ａが前記トリガ信号を発すると、強制的にディスプレイ３を切り換えて前記識別画像９１ｂを表示させ、使用者は即時に侵入者がいることを知ることができ、かつ切換部材１を切り換えて警報器のアラームをオンにすることができる。
【００４１】
このように、前記単一の切換部材１は前記同じまたは異なる設置空間内にある電器９のオン・オフを制御でき、その他の構成部材の組成と実施方式は上述の実施例と同じである。
【００４２】
先行技術と比較して、本発明には次のような利点がある。
１.単一の切換部材でディスプレイが表示する複数の識別画像の表す電器を制御でき、多重電源制御能力を備えている。
２.ディスプレイで電器を表す識別画像を選択し、切換部材で機械方式により前記電器をオン・オフ制御することで、従来のタッチパネルが不適切な押圧を受けて容易に検知不良と破損が生じる問題を克服し、スイッチモジュールの耐久性を高め、使用寿命を延長することができる。
３.切換部材のハウジングは従来の壁面スイッチの外殼とすることができるため、スイッチモジュールで現有の従来の壁面スイッチを直接代替することができ、従来の壁面スイッチをインテリジェント型壁面スイッチに直接アップグレードできる。
４.切換部材を切り換えた後、ディスプレイにより電器がオンまたはオフにされているかを即時に観察でき、異なる設置空間にある複数の電器の動作状況を有利に把握することができる。
５.前記発光素子は前記スイッチモジュールとボタンの位置を提示することができ、またナイトライトとして使用することもできる。
６.前記スイッチモジュールのディスプレイは現在の時間、温度、湿度を表示でき、使用者が便利に確認することができる。
７.人が手でタッチパネルに触れて手を滑らせる方式で前記識別画像、時間、温度、湿度を切り換えることができ、操作が便利で人間工学に即している。
【符号の説明】
【００４３】
１        切換部材
１１      座体
１１１    収容槽
１１２    溝部
１２      ハウジング
１２１、１２２、１２３    開口
１３      ボタン
１３１    開口部
１３２    ツメ
１４      電源オン・オフユニット
１４１    弾性突起
１５、１５ａ    スイッチボタン単体
１６      固定フレーム
１７、１７ａ    発光素子
１８      ボタン
１９      光センサー
２        制御ユニット
２０      回路板
３        ディスプレイ
４        タッチパネル
５、５ａ    検知器
６        メモリユニット
７        カメラ
８、８ａ    センサー
９、９ａ    電器
９１、９１ａ、９１ｂ、９２、９２ａ、９２ｂ  識別画像
【要約】
【課題】単一のスイッチモジュールでタッチ制御による選択と機械方式による複数の電器のオン・オフが可能なインテリジェント型壁面スイッチモジュールを提供すること。
【解決手段】壁面上に設置された切換部材と、切換部材内に設置され、電器に電気的に接続された制御ユニットと、切換部材上に設置されたディスプレイと、ディスプレイ表面に設置され、制御ユニットと電気的に接続されたタッチパネルを含み、制御ユニットがディスプレイにより電器又は電器の設置空間の識別に供する複数の識別画像を表示し、人が手で前記タッチパネルに触れて手を滑らせ、制御ユニットによりディスプレイに表示される識別画像をいずれかに切り換えてから、切換部材を切り換えてディスプレイに表示された識別画像の電器をオンまたはオフにし、単一の前記切換部材でタッチ制御による選択と機械方式による電器のオン・オフを可能として、耐久性を高め、使用寿命を延長する。
【選択図】図１【図１】
0005323226.tif 000002
【図２】
0005323226.tif 000003
【図３】
0005323226.tif 000004
【図４】
0005323226.tif 000005
【図５】
0005323226.tif 000006
【図６】
0005323226.tif 000007
【図７】
0005323226.tif 000008
【図８】
0005323226.tif 000009
【図９】
0005323226.tif 000010
【図１０】
0005323226.tif 000011
【図１１】
0005323226.tif 000012
【図１２】
0005323226.tif 000013
【図１３】
0005323226.tif 000014
【図１４】
0005323226.tif 000015
【図１５】
0005323226.tif 000016
【図１６】
0005323226.tif 000017